(57)【要約】【課題】主に回転操作部材の停止位置精度を向上させることができる電子機器を提供する。【解決手段】複数の端子と、複数の端子に接触可能な接片と、接片が取り付けられ、第１の位置と第２の位置との間で移動して接片を複数の端子に対して摺動させるツマミ部材（１３ａ）と、ツマミ部材を第１の位置の方向に付勢する第１の付勢部材と、使用者の操作によって回転して、回転動作によりツマミ部材を動作させるとともに、ツマミ部材を第１の位置まで移動させる第３の位置と、ツマミ部材を第２の位置まで移動させる第４の位置との間で回転可能な回転操作部材（４、７）と、回転操作部材を第３の位置に付勢する第２の付勢部材（７ｂ、７ｃ）とを有する。【選択図】  図３
2004273324.tif 000002
【特許請求の範囲】
【請求項１】
同一平面内において、一方向に間隔を空けて配置された複数の端子と、
この複数の端子に接触可能な接片と、
この接片が取り付けられ、第１の位置と第２の位置との間で移動して前記接片を前記複数の端子に対して摺動させるツマミ部材と、
このツマミ部材を前記第１の位置の方向に付勢する第１の付勢部材と、
使用者の操作によって回転して、この回転動作により前記ツマミ部材を動作させるとともに、前記ツマミ部材を前記第１の位置まで移動させる第３の位置と、前記ツマミ部材を前記第２の位置まで移動させる第４の位置との間で回転可能な回転操作部材と、
この回転操作部材を前記第３の位置に付勢する第２の付勢部材とを有することを特徴とする電子機器。
【発明の詳細な説明】
【０００１】
【発明の属する技術分野】
本発明は、電子機器に搭載される操作部材の構造に関するものである。
【０００２】
【従来の技術】
電子回路搭載の製品では、制御部へ作動条件などを指示する操作部として、スライド式のツマミを用い、ツマミの移動位置に応じて異なる信号を出力するスライドスイッチを採用する例が多い。
【０００３】
図８にてカメラの操作スイッチの概略を説明すると、カメラ本体２１の外装カバー２２に操作レバー２３を設けておき、この操作レバー２３を動かすことによってカメラ本体内部のスイッチ２４を操作する構造となっている。
【０００４】
図９にて操作スイッチの詳細な構造について説明する。ベース部材２４ａは、樹脂材で形成され、電気絶縁性を持たせてある。第１端子２４ｂおよび第２端子２４ｃはベース部材２４ａに設けられており、各端子２４ｂ、２４ｃは、ベース部材２４ａの外部まで電導体が延びている。
【０００５】
摺動接片２４ｅは、バネ性のある金属製の薄板で形成されており、樹脂材で形成されたツマミ部材２４ｆに取り付けられ、ツマミ部材２４ｆが操作されるのに応じて一体的に各端子２４ｂ、２４ｃの上面を摺動する。これにより、端子２４ｂ、２４ｃから外部へ信号が出力されるようになっている。
【０００６】
ツマミバネ２４ｇは、バネ用線材を巻いた圧縮バネ形状を成し、図９に示すようにツマミ部材２４ｆを常時静止位置の方向に付勢している。カバー部材２４ｈは、ベース部材２４ａの上面を覆い、中央の穴部からツマミ部材２４ｆの一部が露出している。
【０００７】
図９に示す状態では、摺動接片２４ｅが第１端子ｂにのみ接触しており、第１端子２４ｂと第２端子２４ｃを導通させていない。
【０００８】
外装カバー２２に設けられた操作レバー２３は、操作者が初期位置（図９の位置）から図１０のように操作位置まで動かすことにより、係合爪２３ａがツマミ部材２４ｆを押して静止位置（図９の位置）から作動位置（図１０の位置）まで矢印Ａ方向に動かす。
【０００９】
これにより、摺動接片２４ｅは第１端子２４ｂおよび第２端子２４ｃに接触し、両端子２４ｂ、２４ｃが導通状態となる。これを、図示しない電子回路が検出し、制御部へ作動条件などを切り換える指示を行う。
【００１０】
そして、操作者が操作レバー２３を放すと、ツマミバネ２４ｇの付勢力を受けてツマミ部材２４ｆが作動位置から静止位置まで戻り、摺動接片２４ｅも第１端子２４ｂと第２端子２４ｃを導通させない状態に戻る。これを電子回路が検出し、制御部に対して上述したように作動条件を戻す指示を行う。
【００１１】
一方、図１１は、ツマミ部材２４ｆの作動位置を２箇所有するスイッチの例である。同図においては、上述した部材と同じ部材については同一符号を用いている。第２ツマミバネ２４ｉは、バネ用線材を巻いた圧縮バネ形状を成し、ツマミ部材２４ｆを常時第２作動位置から静止位置に戻すように付勢している。
【００１２】
図１１に示す状態では、摺動接片２４ｅは第１端子２４ｂだけに接触しており、端子２４ｂ、２４ｃ又は端子２４ｂ、２４ｄを導通させていない。
【００１３】
ここで、操作者が操作レバー２３を初期位置（図１１の位置）から図１２のように操作位置まで動かすと、係合爪２３ａがツマミ部材２４ｆを矢印Ａ方向に押して静止位置（図１１の位置）から作動位置まで移動させる。これにより、摺動接片２４ｅが、第１端子２４ｂおよび第２端子２４ｃを導通させる。
【００１４】
また、操作レバー２５を図１３のように第２操作位置まで動かした場合は、係合爪２３ａがツマミ部材２４ｆを矢印Ｂ方向に押して静止位置から第２作動位置まで動かし、摺動接片２４ｅが第１端子２４ｂおよび第３端子２４ｄを導通させる。
【００１５】
上述したように２つの端子が導通状態になると、この状態を不図示の電子回路が検出し、制御部へ作動条件を変える指示を行う。そして、操作者が操作レバー２３を放すと、ツマミバネ２４ｇ又は第２ツマミバネ２４ｉによってツマミ部材２４ｆが図１１の静止位置まで戻る。これにより、摺動接片２４ｅも第１端子２４ｂおよび第２端子２４ｃや、第１端子２４ｂおよび第３端子２４ｄを導通させない状態に戻る。これを電子回路が検出し、制御部へ作動条件を戻す指示を行う。
【００１６】
【発明が解決しようとする課題】
上述した従来技術の構成では、操作レバー２３を初期位置に戻す役割はツマミバネ２４ｇ（２４ｉ）が果たすことになる。しかし、この構成だけでは操作レバー２３を確実に初期位置に戻すことはできない。
【００１７】
図９に示す構造では、ツマミ部材２４ｆと係合爪２３ａの間のスキマや各部分のたわみ等により、操作レバー２３は外装カバー２２に対して微妙なガタを残してしまう。
【００１８】
また、ツマミバネ２４ｇがツマミ部材２４ｆを静止位置に戻そうとしても、摺動接片２４ｅおよび端子２４ｂ、２４ｃ間の摩擦により、静止位置まで戻らないおそれがある。
【００１９】
特に、図１１に示す構造では、上述した問題が顕著に現れる。ツマミ部材２４ｆの静止位置は、ツマミバネ２４ｇのバネ力Ｆ１と第２ツマミバネ２４ｇのバネ力Ｆ２が「Ｆ１＝Ｆ２」となって釣り合う地点である。
【００２０】
スイッチ２４を左右対称の構成とし、ツマミバネ２４ｇと第２ツマミバネ２４ｇを共通部品としておけば、理論上、ツマミ部材２４ｆの静止位置はベース部材２４ａの両端から等しい位置となる中心位置になる。しかし、コイルバネの力は、通常１０％程度の誤差をもつため現実にはありえない。
【００２１】
また、摺動接片２４ｅが各端子に接する摩擦係数μに接触圧Ｎを乗じた摩擦力も介在するため、ツマミ部材２４ｆが静止する位置は、（Ｆ１±１０％）＝（Ｆ２±１０％）±μＮ、が成り立つ範囲内のいずれかの位置となり、静止位置が極めて不安定となる。
【００２２】
図１４に、ツマミ部材２４ｆの移動距離と、ツマミ部材２４ｆが受ける静止位置方向への付勢力（復帰力）との関係を示す。同図において、縦軸はツマミ部材２４ｆの位置を示し、縦軸はツマミ部材２４ｆに生ずる静止位置への復帰力を示す。
【００２３】
理論上は、実線に示すようにバネ曲線は左右対称の直線となり、ツマミ部材２４ｆは、中心位置（一点）に静止するようになる。しかし、実際には摩擦力等の影響で復帰力は、破線に示すように実線に比べて減少し、ツマミ部材２４ｆの静止位置は、Ｘ１で示す範囲内となる。
【００２４】
また、ツマミ部材２４ｆの左右に配置されたツマミバネのバネバランスがバラツキを起こせば中心位置自体が左右にズレるため、ツマミ部材２４ｆの静止位置は安定しない。さらに、操作レバー２３の移動量が増えるほど大きな操作力を要することになるため、操作レバー２３をスムーズに操作させることは困難である。
【００２５】
本発明は、上述したスイッチの構造を用いた場合でも、操作レバーの初期位置を安定させたり、操作レバーの操作性や品位を向上させたりすることができる電子機器を提供することを目的とする。
【００２６】
【課題を解決するための手段】
本発明の電子機器は、同一平面内において、一方向に間隔を空けて配置された複数の端子と、複数の端子に接触可能な接片と、接片が取り付けられ、第１の位置と第２の位置との間で移動して接片を複数の端子に対して摺動させるツマミ部材と、ツマミ部材を第１の位置の方向に付勢する第１の付勢部材と、使用者の操作によって回転して、回転動作によりツマミ部材を動作させるとともに、ツマミ部材を第１の位置まで移動させる第３の位置と、ツマミ部材を第２の位置まで移動させる第４の位置との間で回転可能な回転操作部材と、この回転操作部材を第３の位置に付勢する第２の付勢部材とを有することを特徴とする。
【００２７】
【発明の実施の形態】
図１は、本発明の一実施形態であるデジタルカメラ（電子機器）の外観斜視図である。
【００２８】
同図において、１はカメラ本体であり、この内部には撮影を可能とする各種の部材が配置されている。２は撮影者がカメラ本体１を保持するためのグリップ部である。３は撮像レンズであり、光軸方向に繰り出したり繰り込んだりすることにより、撮影光学系の焦点距離を変更する。
【００２９】
４は撮像レンズ３の撮像画角（撮影光学系の焦点距離）を変更するために操作されるズームレバーであり、円筒状に形成されており、カメラ本体１に組み込まれる。このズームレバー４は、軸を中心に正逆方向に所定量、回転可能となっている。
【００３０】
５は２段階の押圧操作が可能なレリーズボタンであり、半押し操作により撮影準備動作（測光動作や焦点調節動作等）が開始され、全押し操作により撮影動作（ＣＣＤ等の撮像素子への露光）が開始される。６はグリップ部２の上面に配置されたグリップカバーである。
【００３１】
次に、ズームレバー４の周辺の構造について詳細に説明する。
【００３２】
図２は、ズームレバー４の周辺の構造を示す分解斜視図である。
【００３３】
同図において、ズームレバー４は、この回転軸４ａを、グリップカバー６に設けられたカバー穴部６ａに貫通させることにより、回転軸４ａを中心に回転可能となる。カバー穴部６ａから突出した回転軸４ａの先端には、薄板のバネ材で形成されたプレート７が取り付けられる。
【００３４】
また、ズームレバー４の取付ボス４ｂ、４ｃは、グリップカバー６に形成された２つの円弧穴部６ｂ、６ｃに貫通し、２本のビス８、９で固定される。
【００３５】
これにより、ズームレバー４は、取付ボス４ｂ、４ｃが円弧穴部６ｂ、６ｃ内を移動可能な範囲内において、回転軸４ａを中心に回転することができる。このようにズームレバー４を回転させる構成では、スライド式の構成に比べてズームレバー４の作動範囲を小さくできるため、カメラの小型化を図ることができる。しかも、ズームレバー４の外観形状をダイヤル型やアーム型などのように用途に応じた形状に形成することができる。
【００３６】
回転軸４ａの中には、ボタン穴部４ｄが開けられており、このボタン穴部４ｄには、レリーズボタン５がボタンバネ１０とともに取り付けられている。
【００３７】
上述したようにズームレバー４やレリーズボタン５等が組み込まれたグリップカバー６は、グリップ２の上面に形成されたスイッチ座２ａに取り付けられて、スイッチ座２ａの裏面からビス１１、１２で固定される。
【００３８】
１３はスライド式のズームスイッチ、１４は押圧式のレリーズスイッチであり、これらのスイッチ１３、１４はそれぞれ、フレキシブル基板１５の表面のうち適正な位置に実装される。このフレキシブル基板１５の一端は、カメラ本体１内に延びており、カメラ本体１内に設けられた不図示の制御部に接続されている。
【００３９】
すなわち、ズームレバー４の回転中心の真下に、レリーズスイッチ１４が配置されており、レリーズボタン５の押圧操作によりボタン足５が当接するようになっている。また、レリーズスイッチ１４の近傍に、ズームスイッチ１３が配置されており、プレート７と連動するようになっている。
【００４０】
このように、ズームスイッチ１３およびレリーズスイッチ１４を近づけて配置することにより、フレキシブル基板１５の限られたスペースを有効に使って２つのスイッチをコンパクトに配置することができる。
【００４１】
フレキシブル基板１５は、取付基準１５ａ、１５ｂをスイッチ座２ａに設けられた取付基準ピン２ｂ、２ｃに貫通させ、ビス１６、１７によってスイッチ座２ａに固定される。
【００４２】
次に、図３に、グリップカバー６に上述した各部品（ズームレバー４やプレート７等）が組み込まれた状態の裏面図を示す。
【００４３】
プレート７に一体的に形成されたアーム７ｂ、７ｃはバネ性を有しており、グリップカバー６の裏面に形成されたリブ６ｄ、６ｅの先端側に接触する。図３に示す状態では、アーム７ｂ、７ｃのリブ６ｄ、６ｅに対する接触圧のバランスが均等に保たれるようになっており、ズームレバー４は所定の位置に保持されて、安定した状態となっている。
【００４４】
アーム７ｂ、７ｃの基端部には、所定の幅を有する係合部７ａが形成されており、ズームレバー４の操作に応じてつまみ部１３ａに当接するようになっている。ここで、係合部７ａの幅は、ツマミ部材１３ａの幅よりも適量広めに設定してあり、遊びがあるため、グリップカバー６をズームスイッチ１３の上に被せる際に、ツマミ部材１３ａと係合部７ａとの位置を合わせ易い。
【００４５】
次に、ズームスイッチ１３の構成について図４を用いて説明する。
【００４６】
同図において、１３ｂはベース部材であり、樹脂材で形成され電気絶縁性を持たせてある。１３ｃ〜１３ｅはそれぞれ、ベース部材１３ｂに設けられた第１〜第３端子であり、ベース部材１３ｂの外部まで電導体が延びている。
【００４７】
１３ｆは摺動接片であり、バネ性のある金属製の薄板で形成されており、樹脂材で形成されたツマミ部材１３ａに取り付けられている。この摺動接片１３ｆは、ツマミ部材１３ａが図４中左右方向へ移動することに応じて、つまみ部材１３ａとともに移動して端子１３ｃ〜１３ｅの上面を摺動する。
【００４８】
このとき、摺動接片１３ｆの停止位置に応じて、端子１３ｃ〜１３ｅから信号が出力されるようになっている。
【００４９】
１３ｇは第１ツマミバネであり、バネ用線材を巻いた圧縮バネ形状を成し、ツマミ部材１３ａを図４中矢印Ｃ方向に付勢している。１３ｈは第２ツマミバネであり、第１ツマミバネ１３ｇと同じくバネ用線材を巻いた圧縮バネ形状を成し、ツマミ部材１３ａを図４中矢印Ｄ方向に付勢している。
【００５０】
１３ｉはカバー部材であり、ベース部材１３ｂの上面を覆い、中央に形成された穴部からツマミ部材１３ａの一部が突出している。この突出した部分が、プレート７の係合部７ａと当接するようになっている。
【００５１】
なお、上述したズームスイッチ１３の構成は、従来技術で述べたスイッチの構成と同様である。
【００５２】
一方、レリーズスイッチ１４の構成は、従来のカメラに用いられているレリーズスイッチと同様の構成であり、レリーズボタン５の半押し操作によりボタン足５ａと当接してＯＮ状態となる第１のスイッチ（ＳＷ１）と、レリーズボタン５の全押し操作によりボタン足５ａと当接してＯＮ状態となる第２のスイッチ（ＳＷ２）とで構成されている。
【００５３】
なお、カメラ本体１の構造のうち上述した構造以外は、一般のカメラに用いられている構造と同様であるため、詳細な説明は割愛する。
【００５４】
次に、本実施形態のカメラにおいて、ズームレバー４の操作に応じた動作を説明する。
【００５５】
図１にて、撮影者は右手でグリップ部２を保持し、撮影レンズ３を被写体に向けた状態でズームレバー４を操作することで撮影画角を設定する。このとき、ズームレバー４を一方向に回転させると、ズームレバー４の操作信号を受けたカメラ本体１内の制御部は、撮影画角が広角となるように撮影レンズ３を駆動して停止させる。また、ズームレバー４を他方向に回転させると、制御部は、撮影画角が望遠となるように撮影レンズ３を駆動して停止させる。
【００５６】
このように、ズームレバー４の回転方向に応じて、撮影画角を広角側と望遠側に切り換えることができるため、撮影画角の選定が行いやすい。
【００５７】
撮影画角を決定した後に、ズームレバー４の中央にあるレリーズボタン５を押圧操作（全押し操作）することにより撮影が行われる。すなわち、レリーズボタン５のボタン足５ａがレリーズスイッチ１４の第２のスイッチを押し込むことでＳＷ２がＯＮ状態となり、この信号がフレキシブル基板１５を経てカメラ本体１内の制御部に入力される。この入力信号を受けた制御部は、カメラ本体１内に設けられた撮像素子を駆動することによって撮影を行う。
【００５８】
本実施形態のカメラでは、撮影画角の切り換えを行なうズームレバー４の近傍にレリーズボタン５が配置されているため、撮影画角の切り換えと撮影動作とを指一本で簡単に行うことができる。特に、デジタルカメラのように、レンズの撮影画角を頻繁に切り換えながら撮影を行なう機器においては、ズームレバー４の操作性が求められているため、上述した配置構成とすることで上記機器に好適なものとなる。
【００５９】
次に、ズームレバー４の動作について詳しく説明する。
【００６０】
まず、ズームレバー４が初期位置にあるときには、図３に示すようにアーム７ｂ、７ｃはバネ性をもってグリップカバー６のリブ６ｄ、６ｅに接触し、両方の接触圧のバランスが同等に保たれ、ズームレバー４は安定した状態となっている。これにより、ズームレバー４をガタなく初期位置に保持させることができる。
【００６１】
アーム７ｂ、７ｃの基端部に設けられた係合部７ａは、ズームスイッチ１３のツマミ部材１３ａの突出部を挟む位置にある。
【００６２】
この構造により、ツマミ部材１３ａの静止位置が多少ばらついても、ズームレバー４を初期位置に安定した状態で保持させることにより、係合部７ａを介してツマミ部材１３ａを静止位置に精度良く静止させることができる。
【００６３】
ズームスイッチ１３は２つのバネ１３ｇ、１３ｈを備えており、上述した課題で説明したようにツマミ部材１３ａの静止位置が安定しない構成となっているが、このズームスイッチ１３に本実施形態の構成のズームレバー４を連結させることで、ツマミ部材１３ａの静止位置を安定させることができる。
【００６４】
ズームレバー４が初期位置（図３に示す位置）にあるとともに、ツマミ部材１３ａが静止位置にあるとき、摺動接片１３ｆは図４に示すように第１端子１３ｃだけに接触し、第２端子１３ｄや第３端子１３ｅを導通させていない。
【００６５】
このとき、第１端子１３ｃからの信号が、フレキシブル基板１５を介してカメラ本体１内の制御部に入力され、制御部はズームレバー４が初期位置にいることを検出し、撮像レンズ３を停止させた状態に維持する。
【００６６】
ここで、操作者がズームレバー４を初期位置から広角位置へ回転（図３中の時計方向に回転）させると、図５に示すようにプレート７がズームレバー４と共に回転するため、係合部７ａも回転して、ツマミ部材１３ａを第１ツマミバネ１３ｇの付勢力に抗して静止位置から図６に示す広角位置へ移動させる。
【００６７】
係合部７ａはズームレバー４の回転により円弧を描くように動作し、この動作軌跡を含む面内でツマミ部材１３ａの直線動作が行われるようになっている。これにより、ツマミ部材１３ａに余分な横圧を与えずに、ズームレバー４の操作力を効率的にツマミ部材１３ａに伝達させることができ、スイッチ１３の操作性が良くなる。
【００６８】
また、上述したように係合部７ａの幅はツマミ部材１３ａの幅よりも適量広めに設定してあり、遊びがあるため、係合部７ａはツマミ部材１３ａに引っ掛かることなくスムーズに動作できる。
【００６９】
ツマミ部材１３ａが広角位置まで移動すると、摺動接片１３ｆが第１端子１３ｃおよび第２端子１３ｄに接触し、これらの端子１３ｃ、１３ｄを導通させる。このとき、端子１３ｃ、１３ｄからの信号がカメラ本体１内の制御部に入力されることで、制御部はズームレバー４が広角位置にあることを検出するとともに、撮像レンズ３を駆動して撮影画角を広角側に切り換える。
【００７０】
図６に示す状態にあるとき、第１ツマミバネ１３ｇは圧縮されるため、この第１ツマミバネ１３ｇには元へ戻ろうとする復元力が生じる。
【００７１】
撮影者は、撮像レンズ３を広角側に駆動し続ける間、ズームレバー４を押して第１ツマミバネ１３ｇを圧縮し続けなければならない。しかし、本実施形態では、プレート７のアーム７ｃの作用により、ズームレバー４の押し圧は最適に調整される。
【００７２】
すなわち、図３の初期位置から図５の広角位置へ向かうにつれて、アーム７ｃはリブ６ｅに当接してたわみ、これによりズームレバー４を初期位置に戻そうとする復元力が生じる。
【００７３】
アーム７ｃの先端側は、この長手方向の断面において略円弧状に形成されており、ズームレバー４を初期位置から回転させ始めた段階では、図７に示すようにズームレバー４の回転量当たりのアーム７ｂの変形量が大きくなる。このとき、ズームレバー４は、アーム７ｂの変形によって初期位置に戻る方向の力を受ける。
【００７４】
ズームレバー４の広角側への回転により、アーム７ｃのうち円弧形状部の頂点がリブ６ｅの先端に当接する（図７に示す曲線の頂点に相当する）と、これ以降はアーム７ｂの変形量が小さくなる。このとき、ズームレバー４を初期位置に戻す力は、図７に示すように減少する。
【００７５】
そして、ズームレバー４が広角位置の近傍まで回転すると、アーム７ｂの先端がリブ６ｅの先端に当接することで、この位置に保持され、アーム７ｂの基端部側において、ズームレバー４を広角側に回転させる力が生じる。
【００７６】
この力は、ズームレバー４を広角側に移動させる力（使用者の操作力）と同じ方向となるため、ズームレバー４を第１ツマミバネ１３ｇの付勢力に抗して広角側に移動させる際の操作力を軽減することができる。特に、ズームレバー４を広角位置に押し続ける場合には、少ない力で行うことができる。
【００７７】
次に、撮影者は撮像レンズ３を所望の撮影画角に設定できたら、ズームレバー４を放す。ここで、アーム７ｃの変形によりツマミ部材１３ａを広角位置へ向けて付勢する反発力よりも第１ツマミバネ１３ｇの復元力が大きくなっているため、ズームレバー４はツマミ部材１３ａを介して第１ツマミバネ１３ｇの付勢力を受けることで初期位置へ向けて回転する。このとき、ツマミ部材１３ａも静止位置まで移動する。
【００７８】
ツマミ部材１３ａが静止位置の近傍に達すると、上述した課題のように、第１ツマミバネ１３ｇが、摺動接片１３ｆおよび端子１３ｃ、１３ｄ間での摩擦力により復元力を失い、ツマミ部材１３ａが初期位置の直前で停止するおそれがある。
【００７９】
しかし、本実施形態では、ツマミ部材１３ａが静止位置の近傍に達すると、アーム７ｃがリブ６ｄに押されて生じるクリック力（復元力）が増大するようになっているため、ズームレバー４がアーム７ｃの復元力によって初期位置まで戻るとともに、ツマミ部材１３ａが静止位置まで戻るようになっている。
【００８０】
そして、ズームレバー４が初期位置まで戻ると、アーム７ｂがリブ６ｄに当接することで、ズームレバー４は上述したようにアーム７ｂ、７ｃによって安定した状態に保持される。このように、ズームレバー４が初期位置まで正確に戻るようにすることで、品位も良く、ズームレバー４の不用意な誤作動も防ぐことができる。
【００８１】
以上はズームレバー４を広角位置へ回転させた場合について説明したが、ズームレバー４を広角位置と反対側の望遠位置に移動させる場合についても上述した動作と同様となる。
【００８２】
なお、本実施形態ではデジタルカメラについて説明したが、互いに異なる方向に操作されるレバーを備え、このレバーの操作位置に応じて異なる信号を出力させるような構成を持った電子機器であればいかなるものについても適用することができる。
【００８３】
また、本実施形態では、ツマミ部材１３ａが両方向からツマミバネ１３ｇ、１３ｈによって付勢されている構成について説明したが、ツマミ部材を一方向からバネによって付勢する構成についても本発明を適用することができる。
【００８４】
以上説明した実施形態は、以下に示す各発明を実施した場合の一例でもあり、下記の各発明は上記実施形態に様々な変更や改良が加えられて実施されるものである。
【００８５】
〔発明１〕  同一平面内において、一方向に間隔を空けて配置された複数の端子と、
この複数の端子に接触可能な接片と、
この接片が取り付けられ、第１の位置と第２の位置との間で移動して前記接片を前記複数の端子に対して摺動させるツマミ部材と、
このツマミ部材を前記第１の位置の方向に付勢する第１の付勢部材と、
使用者の操作によって回転して、この回転動作により前記ツマミ部材を動作させるとともに、前記ツマミ部材を前記第１の位置まで移動させる第３の位置と、前記ツマミ部材を前記第２の位置まで移動させる第４の位置との間で回転可能な回転操作部材と、
この回転操作部材を前記第３の位置に付勢する第２の付勢部材とを有することを特徴とする電子機器。
【００８６】
上記発明１によれば、回転操作部材が第２の付勢部材によって付勢されているため、回転操作部材にガタを生じさせることはなく、回転操作部材を第３の位置に精度良く保持させることができる。しかも、回転操作部材を第３の位置に保持させることで、回転操作部材に連結するツマミ部材を第１の位置に精度良く保持させることができる。
【００８７】
また、回転操作部材を回転させることによってツマミ部材を動作させているため、従来技術のようにツマミ部材を動作させるための操作部材をスライドさせる場合に比べて、操作部材の操作スペースを小さくすることができ、電子機器の小型化を図ることができる。
【００８８】
〔発明２〕  前記第２の付勢部材が、前記回転操作部材の回転動作にクリック力を付与することを特徴とする前記発明１に記載の電子機器。
【００８９】
〔発明３〕  前記第２の付勢部材は、前記回転操作部材の前記第３の位置からの回転量に応じて、前記回転操作部材への付勢力の増加する割合が減少するように形成されていることを特徴とする前記発明１又は２に記載の電子機器。
【００９０】
上記発明３によれば、小さい力で回転操作部材を回転操作させることができるようになっており、回転操作部材の操作性を向上させることができる。
【００９１】
〔発明４〕  前記第２の付勢部材は、前記回転操作部材が前記第４の位置の近傍にあるとき、前記回転操作部材を前記第４の位置の方向に付勢することを特徴とする前記発明１から３のいずれかに記載の電子機器。
【００９２】
回転操作部材を第４の位置に保持し続けには、第１の付勢部材の付勢力に抗して回転操作部材を操作し続けなければならないが、上記発明４の構成とすることで、回転操作部材を第４の位置に保持し続ける力が少なくて済み、回転操作部材の操作性を向上させることができる。
【００９３】
〔発明５〕  前記回転操作部材が前記ツマミ部材と係合する係合部を有しており、
前記回転操作部材は、前記係合部の移動軌跡と前記ツマミ部材の移動軌跡とが同一平面内に含まれるように配置されていることを特徴とする前記発明１から４のいずれかに記載の電子機器。
【００９４】
上記発明５によれば、回転操作部材の操作力を効率良くツマミ部材に伝達させることができ、回転操作部材の操作性を向上させることができる。
【００９５】
〔発明６〕  前記係合部と前記ツマミ部材との間に所定のクリアランスが設けられていることを特徴とする前記発明５に記載の電子機器。
【００９６】
上記発明６によれば、回転操作部材およびツマミ部材の組み込みを容易に行うことができるとともに、回転操作部材の回転動作に応じてツマミ部材を効率良く一方向に移動（直線移動）させることができる。
【００９７】
〔発明７〕  前記回転操作部材の回転中心に組み込まれ、押圧操作される押圧操作部材と、
この押圧操作部材と接触可能なスイッチとを有し、
前記ツマミ部材が、前記スイッチの近傍に配置されていることを特徴とする前記発明１に記載の電子機器。
【００９８】
上記発明７によれば、回転操作部材および押圧操作部材や、ツマミ部材およびスイッチを小さいスペース内に効率良く配置することができ、電子機器の小型化を図ることができる。
【００９９】
〔発明８〕  前記ツマミ部材に対して前記第１の付勢部材の付勢方向と対向する方向に付勢する第３の付勢部材を有し、
前記ツマミ部材が、前記第１の付勢部材および前記第３の付勢部材の付勢力を受けて前記第１の位置に保持されることを特徴とする前記発明１に記載の電子機器。
【０１００】
〔発明９〕  前記発明１から８のいずれかに記載の電子機器が、被写体像を撮影可能なカメラであって、
前記回転操作部材が、撮影光学系の焦点距離を変更するために操作される部材であり、前記押圧操作部材が撮影動作を開始させるために操作される部材であることを特徴とするカメラ。
【０１０１】
【発明の効果】
本発明によれば、主に回転操作部材の停止位置精度を向上させることができる。
【図面の簡単な説明】
【図１】本実施形態であるカメラの外観斜視図。
【図２】ズームレバーの周辺構造の分解斜視図。
【図３】グリップカバーの裏面図（初期位置）。
【図４】ズームスイッチの構成図（初期位置）。
【図５】グリップカバーの裏面図（広角位置）。
【図６】ズームスイッチの構成図（広角位置）。
【図７】ズームレバーの復元力の変化曲線図。
【図８】従来技術におけるカメラの外観斜視図。
【図９】ズームスイッチの構成図。
【図１０】ズームスイッチの構成図。
【図１１】ズームスイッチの構成図。
【図１２】ズームスイッチの構成図。
【図１３】ズームスイッチの構成図。
【図１４】ズームスイッチの復元力の変化曲線図。
【符号の説明】
１・・・カメラ本体
２・・・グリップ
２ａ・・・スイッチ座
２ｂ、２ｃ・・・取付基準ピン
３・・・撮像レンズ
４・・・ズームレバー
４ａ・・・回転軸
４ｂ、４ｃ・・・取付ボス
４ｄ・・・ボタン穴部
５・・・レリーズボタン
５ａ・・・ボタン足
６・・・グリップカバー
６ａ・・・カバー穴部
６ｂ、６ｃ・・・円弧穴部
６ｄ、６ｅ・・・リブ
７・・・プレート
７ａ・・・係合部
７ｂ、７ｃ・・・アーム
８、９・・・ビス
１０・・・ボタンバネ
１１、１２・・・ビス
１３・・・ズームスイッチ
１３ａ・・・ツマミ部材
１３ｂ・・・ベース部材
１３ｃ〜１３ｅ・・・第１〜第３端子
１３ｆ・・・摺動接片
１３ｇ・・・第１ツマミバネ
１３ｈ・・・第２ツマミバネ
１３ｉ・・・カバー部材
１４・・・レリーズスイッチ
１５・・・フレキシブル基板
１５ａ、１５ｂ・・・取付基準穴部
１６、１７・・・ビス
２１・・・カメラ本体
２２・・・外装カバー
２３・・・操作レバー
２３ａ・・・係合爪
２４・・・スイッチ
２４ａ・・・ベース部材
２４ｂ〜２４ｄ・・・第１端子〜第３端子
２４ｅ・・・摺動接片
２４ｆ・・・ツマミ部材
２４ｇ・・・ツマミバネ
２４ｈ・・・カバー部材
２４ｉ・・・第２ツマミバネ
【図１】
2004273324.tif 000003
【図２】
2004273324.tif 000004
【図３】
2004273324.tif 000005
【図４】
2004273324.tif 000006
【図５】
2004273324.tif 000007
【図６】
2004273324.tif 000008
【図７】
2004273324.tif 000009
【図８】
2004273324.tif 000010
【図９】
2004273324.tif 000011
【図１０】
2004273324.tif 000012
【図１１】
2004273324.tif 000013
【図１２】
2004273324.tif 000014
【図１３】
2004273324.tif 000015
【図１４】
2004273324.tif 000016